(57)【要約】【課題】例えば収穫作業のときに使用する操作ボックス７１、または作業者が携行する電話機またはタバコ等を、アームレスト４４に収納して手元の近くに保管でき、取扱い性向上などを容易に図る。【解決手段】運転席２０の側部にアームレスト４４を設けるコンバインにおいて、アームレスト４４を中空形状で開閉可能に構成することを特徴とする。【選択図】　　　図１６
2004016067.tif 000002
【特許請求の範囲】
【請求項１】
運転席の側部にアームレストを設けるコンバインにおいて、アームレストを中空形状で開閉可能に構成することを特徴とするコンバイン。
【請求項２】
上下または前後方向のいずれか一方または両方に移動自在に、または回動自在に、アームレストを設けることを特徴とする請求項１に記載のコンバイン。
【請求項３】
穀粒を取出す排出オーガを操作する操作ボックスをアームレストに内装することを特徴とする請求項１に記載のコンバイン。
【請求項４】
アームレストに窓を設けることを特徴とする請求項１に記載のコンバイン。
【請求項５】
操作ボックスの操作スイッチを窓に対向させることを特徴とする請求項４または５に記載のコンバイン。
【請求項６】
アームレストに切欠き穴を設けて内外を連通させることを特徴とする請求項１または３に記載のコンバイン。
【請求項７】
アームレストから操作ボックスを取出して外部に設置可能に構成することを特徴とする請求項３に記載のコンバイン。
【発明の詳細な説明】
【０００１】
【発明の属する技術分野】
本発明は例えば連続的に穀稈を刈取って脱穀するコンバインに関する。
【０００２】
【発明が解決しようとする課題】
従来、穀物タンクから穀粒を取出す排出オーガを収納位置乃至排出位置に移動させるとき、運転席の後側に配置した操作ボックスを操作しているから、作業者が運転姿勢で操作を行えない不具合がある。
【０００３】
【課題を解決するための手段】
然るに、本発明は、運転席の側部にアームレストを設けるコンバインにおいて、アームレストを中空形状で開閉可能に構成するもので、例えば収穫作業のときに使用する操作ボックス、または作業者が携行する電話機またはタバコ等を、アームレストに収納して手元の近くに保管し得、取扱い性向上などを容易に図り得るものである。
【０００４】
また、請求項２の如く、上下または前後方向のいずれか一方または両方に移動自在に、または回動自在に、アームレストを設けるもので、例えば作業者の体型などに合せてアームレストを適正位置に支持させたり、作業者の乗降をアームレストが阻害する不具合をなくし得るものである。
【０００５】
また、請求項３の如く、穀粒を取出す排出オーガを操作する操作ボックスをアームレストに内装するもので、作業者が運転姿勢で操作ボックスのスイッチ操作を行い得、穀粒を排出する作業性の向上などを容易に図り得るものである。
【０００６】
また、請求項４の如く、アームレストに窓を設けるもので、窓からアームレストの内部を作業者が見たり、アームレストの内部に小物を出入させ得、アームレストの開閉操作を省いて取扱い性を向上させ得るものである。
【０００７】
また、請求項５の如く、操作ボックスの操作スイッチを窓に対向させるもので、窓から操作スイッチを作業者が操作し得、操作ボックスをオーガレストから出入させる手間を省いて取扱い性を向上させ得るものである。
【０００８】
また、請求項６の如く、アームレストに切欠き穴を設けて内外を連通させるもので、例えばアームレストの内部に雨水が侵入しても切欠き穴から速やかに排出されたり、操作ボックスの配線ケーブル等を切欠き穴から延出させ得るものである。
【０００９】
また、請求項７の如く、アームレストから操作ボックスを取出して外部に設置可能に構成するもので、操作ボックスをアームレストから取出して他の物を入れたり、作業者が穀粒排出時の視界を確保し易い位置などに操作ボックスを取出して取扱い性を向上させ得るものである。
【００１０】
【発明の実施の形態】
以下、本発明の実施例を図面に基づいて詳述する。図１はコンバインの全体の斜視図、図２は同右側面図、図３は平面説明図であり、図中１は左右一対の走行クローラ２を装設する左右一対のトラックフレーム、３は前記の左右トラックフレーム１に架設する機台、４はフィードチェン５を左側に張架し扱胴６及び処理胴を内蔵している脱穀機である脱穀部、７は引起機構８及び刈刃９及び穀稈搬送機構１０などを備える刈取部、１１は刈取フレーム１２を介して刈取部７を昇降させる油圧昇降シリンダ、１３は排藁チェン１４終端を臨ませる排藁処理部、１５は脱穀部４からの穀粒を揚穀筒を介して搬入する穀物タンク、１６・１７は前記タンク１５の穀粒を機外に搬出する排出オーガ、１８は運転操作ハンドル１９及び運転席２０を備える運転キャビン、２１は運転キャビン１８下方に設けるエンジンであり、連続的に穀稈を刈取って脱穀するように構成している。
【００１１】
さらに、図４、図５に示す如く、機台３前側で左右の走行クローラ２の間にミッションケース２２を配設させ、ミッションケース２２とエンジン２１を略直列に前後に設け、ミッションケース２２を介して走行クローラ２にエンジン２１の駆動力を伝えると共に、脱穀部４前側の機台３上面に左右の支持台２３・２４を立設させ、支持台２３・２４に刈取フレーム１２を介して刈取部７を昇降自在及び横移動可能に設ける。また、支持台２３・２４後側の機台３上面にカウンタケース２５を設け、脱穀部４及び刈取部７にカウンタケース２５を介してエンジン２１の駆動力を伝える。
【００１２】
さらに、ミッションケース２２側方の機台３にキャビン前フレーム２６を立設させ、キャビン１８のステップフレーム２７前部を前フレーム２６上部に回動支点軸２８を介して設け、支点軸２８回りにキャビン１８を前方に回動自在に支持させると共に、右の支持台２４に左のキャビン後フレーム２９を立設させ、機台３に立設させる右のキャビン後フレーム３０との間の機台３上面にエンジン２１を設け、エンジン２１をエンジンルームカバー３１で覆う。また、前記カバー３１の上方で左右の後フレーム２９・３０上部をキャビン横フレーム３２によって連結させ、キャビン横フレーム３２にフックレバー３３を設け、キャビン１８のステップフレーム２７後部を横フレーム３２に上載させてフックレバー３３により係脱自在に固定させると共に、右の支持台２４と前フレーム２６の間に水平連結フレーム３４を固定させ、水平連結フレーム３４中間と横フレーム３２中間に傾斜連結フレーム３５を固定させ、連結フレーム３４・３５によってフレーム剛性を確保する。また、左の後フレーム２９にオーガ支柱３６を連結させてオーガレスト３７を設け、昇降及び旋回自在に設ける排出オーガ１７をオーガレスト３７の本機収納位置に支持させる。
【００１３】
さらに、図４、図６、図７、図８に示す如く、ステップフレーム２７前部のステップ部３８にステアリングケース３９を立設させ、操作ハンドル１９及びメータパネル４０及びフロントパネル４１をステアリングケース３９上部に設けると共に、ステップフレーム２７後部のシート部４３に運転席２０を設け、左右のアームレスト４４を運転席２０の両側に設け、昇降用取手４５を運転席２０右側のキャビン１８入口に設ける。また、キャビン１８入口と反対側の運転席２０左側にサイドパネル４６を設け、主変速レバー４７と、副変速レバー４８と、脱穀及び刈取用作業レバー４９を、サイドパネル４６に設ける。
【００１４】
さらに、図８乃至図１１に示す如く、運転席２０の座部５０に背部５１をシートフレーム５２によって連結させ、ボルト孔５３の変更によって取付け高さ変更自在に支点フレーム５４をシートフレーム５２にボルト５５止め固定させると共に、ノブ付ボルト５６及びガイド孔５７を介して支点軸５８回りに上下に回動自在に支点フレーム５４にサイドフレーム５９を設け、またノブ付ボルト６０及びガイド孔６１を介して前後に摺動自在にサイドフレーム５９にレストフレーム６２を設け、レストフレーム６２にアームレスト４４を皿ビス６３止め固定させ、運転席２０に対して、高さ調節自在に、後方起立及び前方倒伏自在に、前後スライド自在に、アームレスト４４を設ける。
【００１５】
さらに、図１２乃至図１７に示す如く、アームレスト４４にケース本体６４と蓋６５を備え、アームレスト４４を中空のケース形状に形成し、ケース本体６４に蝶番６６を介して蓋６５を開閉自在に設け、蓋６５を開放操作する非貫通形の切欠６７をケース本体６４に設けると共に、水を排出させる側面穴６８及び底面穴６９及び後面穴７０をケース本体６４に設ける。なお、前記切欠６７を貫通形に形成してもよい。
【００１６】
また、アームレスト４４に内装させる操作ボックス７１裏面の前後部に当接させる前後リブ７２・７３をケース本体６４に設け、操作ボックス７１表面の中間に当接させる中間リブ７４を蓋６５に設け、各リブ７２・７３・７４によって操作ボックス７１を上下から挾んでアームレスト４４に内設させ、各リブ７２・７３・７４によって操作ボックス７１の移動及び損傷を防ぎ、アームレスト４４であるケース本体６４と蓋６５の剛性を欠くリブ７２・７３・７４によって向上させる。
【００１７】
また、係止用のフック７５を設ける操作ボックス７１の裏面に面一に通信ケーブル７６を設け、ケース本体６４の後面穴７０からアームレスト４４後方にケーブル７６を延出させ、運転席２０の後側を介して本機コントローラ（図示省略）にケーブル７６を接続させ、水抜き用とケーブル７６配続用とに後面穴７０を兼用すると共に、前記排出オーガ１７先端の投出口を手動で昇降及び旋回させる上下及び左右移動スイッチ７７・７８・７９・８０と、排出オーガ１７を穀粒位置及び本機収納位置に自動的に移動させるオートセットスイッチ用の右及び後スイッチ８１・８２及びオートリターン用の収納スイッチ８３と、排出オーガ１７にエンジン２１動力を伝えるオーガクラッチを入切するクラッチスイッチ８４と、排出オーガ１７の投出口を首振り動作させて投出方向を変更するセット及びリターンスイッチ８５・８６を、操作ボックス７１の表面に設ける。
【００１８】
さらに、アームレスト４４の前側上面の蓋６５に窓８７を設け、レール８８を介して開閉自在に透明な蓋板体８９を窓８７に設けると共に、右及び後スイッチ８１・８２と収納スイッチ８３を窓８７に対向させ、蓋板体８９の開操作により、窓８７から各スイッチ８１・８２・８３を操作し、作業者が蓋６５を開けて操作ボックス７１を取出すことなく、排出オーガ１７を穀粒排出位置または本機収納位置に移動させる操作を行う。また、刈取り脱穀を行う収穫作業状態から、穀物タンク１５の穀粒を取出す排出作業に移行する際に、使用してはいけないオーガクラッチスイッチ８４等を窓８７から見えない（操作できない）位置に配置させ、作業者のひじ等がスイッチ８４等に窓８７から触れて誤作動するのを防止している。
【００１９】
さらに、図１８に示す如く、アームレスト４４の後側上面に窓８７を設けてスイッチ８１・８２・８３を対向させることも行えると共に、図１９に示す如く、アームレスト４４の前側と後側の両方の上面に前後の窓８７を夫々設け、収納スイッチ８３と、右及び後スイッチ８１・８２とを、前後に振分けて各窓８７に対向させることも行える。
【００２０】
上記から明らかなように、運転席２０の側部にアームレスト４４を設けるコンバインにおいて、アームレスト４４を中空形状で開閉可能に構成し、例えば収穫作業のときに使用する操作ボックス７１、または作業者が携行する電話機またはタバコ等を、アームレスト４４に収納して手元の近くに保管させ、取扱い性向上などを図ると共に、上下または前後方向のいずれか一方または両方に移動自在に、または回動自在に、アームレスト４４を設け、例えば作業者の体型などに合せてアームレスト４４を適正位置に支持させたり、作業者の乗降をアームレスト４４が阻害する不具合をなくす。
【００２１】
また、穀粒を取出す排出オーガ１７を操作する操作ボックス７１をアームレスト４４に内装させ、作業者が運転姿勢で操作ボックス７１のスイッチ８１・８２・８３操作を行い、穀粒を排出する作業性の向上などを図ると共に、アームレスト４４に窓８７を設け、窓８７からアームレスト４４の内部を作業者が見たり、アームレスト４４の内部に小物を出入させ、アームレスト４４の開閉操作を省いて取扱い性を向上させるもので、操作ボックス７１の操作スイッチである右及び後及び収納スイッチ８１・８２・８３を窓８７に対向させ、窓８７から右及び後及び収納スイッチ８１・８２・８３を作業者が操作し、操作ボックス７１をオーガレスト４４から出入させる手間を省いて取扱い性を向上させる。また、アームレスト４４に切欠き穴である後面穴７０を設けて内外を連通させ、例えばアームレスト４４の内部に雨水が侵入しても後面穴７０から速やかに排出されたり、操作ボックス７１の配線ケーブル７６等を後面穴７０から延出させる。
【００２２】
さらに、図８、図９に示す如く、運転席２０を最下部に位置させたときであっても、乗降用取手４５上面よりも、アームレスト４４上面を上側に高く設け、作業者が体を右側に回して穀粒排出等の作業を行っても、作業者の動作が取手４５によって制限されるのを防げると共に、作業者が乗降するときに取手４５に手をかけ易く、またアームレスト４４にも作業者のひじをかけ易い。
【００２３】
さらに、図２０に示す如く、キャビン１８のドア側の支柱９０、またはフロントパネル４１、または乗降用取手４５のいずれかを利用し、フック７５などを用いて操作ボックス７１を、アームレスト４４以外の場所に取出して支持させるもので、作業者の移動が少なく、刈取作業の視界が確保され、操作ボックス７１の取扱い性を向上させたり、操作ボックス７１をフロントパネル４１等の所定位置に収納させて使用し、穀粒排出作業性の向上などを図れるもので、アームレスト４４から操作ボックス７１を取出して外部に設置可能に構成し、操作ボックス７１をアームレスト４４から取出して他の物を入れたり、作業者が穀粒排出時の視界を確保し易い位置などに操作ボックス７１を取出して取扱い性を向上させる。
【００２４】
さらに、図２１、図２２に示す如く、前記グレンタンク１５後側に縦オーガ１６を立設させ、縦オーガ１６上端に受継ケース１２３を介して前記排出オーガ１７基端部を連結させると共に、グレンタンク１５上面のオーガレスト３７に排出オーガ１７中間部を上載支持させ、本機上面の対角線方向に略水平に排出オーガ１７を収納させるもので、トラック荷台などのコンテナ１２６の穀粒排出位置またはオーガレスト３７位置に縦オーガ１６を支点に排出オーガ１７先端側を旋回移動させる電動旋回モータ１２７と、電磁ソレノイド型旋回ブレーキ１２８と、ポテンショメータ型旋回センサ１２９を設けると共に、受継ケース１２３を支点に排出オーガ１７先端側を昇降させる油圧オーガ昇降シリンダ１３０と、ポテンショメータ型昇降センサ１３１を設け、前記昇降シリンダ１３０制御によって排出オーガ１７先端側を昇降させると共に、前記旋回モータ１２７制御によって排出オーガ１７先端側を左右に旋回させるように構成している。
【００２５】
さらに、前記排出オーガ１７を円筒形排出オーガ筒１３２に内挿させ、排出オーガ筒１３２先端にエルボ形アルミダイキャストパイプ製軸受体１３３を連結させ、軸受体１３３一端側の入口に排出オーガ１７送り終端部を内挿させ、前記軸受体１３３他端側の出口にスロワ筒形の投出筒１３４を設け、排出オーガ１７によって搬出するグレンタンク１５の穀粒を投出筒１３４先端の合成樹脂筒形の投出口から排出させると共に、軸受体１３３を支点にして排出オーガ１７右側で投出筒１３４を３６０度正逆転自在に取付け、穀粒排出姿勢の投出筒１３４から下手投げで穀粒を排出させると共に、穀粒排出姿勢の投出筒１３４の投出口を上向きに支持する方向に回転させて収納位置に戻すもので、前記軸受体１３３に電動投出口モータ１３５を固定させ、出力ギヤ１３６とリングギヤ１３７を介して投出口モータ１３５によって投出筒１３４を収納位置乃至穀粒排出姿勢に回転させる。
【００２６】
さらに、図２３に示す如く、前記各センサ１２９・１３１と、旋回モータ１２７と、旋回ブレーキ１２８と、昇降シリンダ１３０と、各スイッチ７７〜８６を、オーガコントローラ５１に接続させると共に、オーガクラッチスイッチ８４の操作などにより排出オーガ１７の駆動力を入切するオーガクラッチモータ１５２と、排出オーガ１７を駆動して穀粒を排出している状態を点灯表示する排出ランプ１５３を、オーガコントローラ１５１に接続させる。そして、前記昇降シリンダ１３０及び旋回モータ１２７を作動させて排出オーガ１７を昇降及び旋回させる。また、オーガクラッチスイッチ８４の操作によってオーガクラッチモータ１５２を正逆転させて排出オーガ１７を駆動または停止させる。また、収納スイッチ８３の操作によって昇降シリンダ１３０及び旋回モータ１２７及び投出口モータ１３５を作動させて排出オーガ１７及び投出筒１３４を収納位置に自動的に復動させるもので、排出オーガ１７がオーガレスト３７上方の本機収納位置に戻ったときに投出筒１３４が自動的に収納される。また、伸長及び縮少スイッチ８５・８６の操作によって投出筒１３４を収納位置乃至穀粒排出姿勢に時計回り（正転）または反時計回り（逆転）の両方で移動させると共に、排出オーガ１７の旋回動作を阻止する旋回ブレーキ１２８を旋回操作以外のときに入維持し、また旋回操作をしていないときであっても、本機車速が一定以上のときに旋回ブレーキ１２８を切維持するように構成している。
【００２７】
【発明の効果】
以上実施例から明らかなように本発明は、運転席２０の側部にアームレスト４４を設けるコンバインにおいて、アームレスト４４を中空形状で開閉可能に構成するもので、例えば収穫作業のときに使用する操作ボックス７１、または作業者が携行する電話機またはタバコ等を、アームレスト４４に収納して手元の近くに保管でき、取扱い性向上などを容易に図ることができるものである。
【００２８】
また、請求項２の如く、上下または前後方向のいずれか一方または両方に移動自在に、または回動自在に、アームレスト４４を設けるもので、例えば作業者の体型などに合せてアームレスト４４を適正位置に支持させたり、作業者の乗降をアームレスト４４が阻害する不具合をなくすことができるものである。
【００２９】
また、請求項３の如く、穀粒を取出す排出オーガ１７を操作する操作ボックス７１をアームレスト４４に内装するもので、作業者が運転姿勢で操作ボックス７１のスイッチ８１・８２・８３操作を行うことができ、穀粒を排出する作業性の向上などを容易に図ることができるものである。
【００３０】
また、請求項４の如く、アームレスト４４に窓８７を設けるもので、窓８７からアームレスト４４の内部を作業者が見たり、アームレスト４４の内部に小物を出入させることができ、アームレスト４４の開閉操作を省いて取扱い性を向上させることができるものである。
【００３１】
また、請求項５の如く、操作ボックス７１の操作スイッチ８１・８２・８３を窓８７に対向させるもので、窓８７から操作スイッチ８１・８２・８３を作業者が操作でき、操作ボックス７１をオーガレスト４４から出入させる手間を省いて取扱い性を向上させることができるものである。
【００３２】
また、請求項６の如く、アームレスト４４に切欠き穴７０を設けて内外を連通させるもので、例えばアームレスト４４の内部に雨水が侵入しても切欠き穴７０から速やかに排出されたり、操作ボックス７１の配線ケーブル７６等を切欠き穴７０から延出させることができるものである。
【００３３】
また、請求項７の如く、アームレスト４４から操作ボックス７１を取出して外部に設置可能に構成するもので、操作ボックス７１をアームレスト４４から取出して他の物を入れたり、作業者が穀粒排出時の視界を確保し易い位置などに操作ボックス７１を取出して取扱い性を向上させることができるものである。
【図面の簡単な説明】
【図１】コンバインの全体斜視図。
【図２】同側面図。
【図３】同平面説明図。
【図４】機体前部の側面説明図。
【図５】同正面説明図。
【図６】運転席部の斜視図。
【図７】同平面図。
【図８】同側面図。
【図９】同正面図。
【図１０】運転席の側面図。
【図１１】同拡大図。
【図１２】アームレストの平面図。
【図１３】同側面図。
【図１４】同平面説明図。
【図１５】同分解斜視図。
【図１６】同断面側面図。
【図１７】前図の分解説明図。
【図１８】図１２の変形例を示す平面図。
【図１９】同平面図。
【図２０】キャビンの斜視説明図。
【図２１】排出オーガの昇降旋回部の説明図。
【図２２】排出オーガ先端部の側面図。
【図２３】穀粒排出制御回路図。
【符号の説明】
１７　　排出オーガ
２０　　運転席
４４　　アームレスト
７０　　後面穴（切欠き穴）
７１　　操作ボックス
８１　　右スイッチ（操作スイッチ）
８２　　後スイッチ（操作スイッチ）
８３　　収納スイッチ（操作スイッチ）
８７　　窓
【図１】
2004016067.tif 000003
【図２】
2004016067.tif 000004
【図３】
2004016067.tif 000005
【図４】
2004016067.tif 000006
【図５】
2004016067.tif 000007
【図６】
2004016067.tif 000008
【図７】
2004016067.tif 000009
【図８】
2004016067.tif 000010
【図９】
2004016067.tif 000011
【図１０】
2004016067.tif 000012
【図１１】
2004016067.tif 000013
【図１２】
2004016067.tif 000014
【図１３】
2004016067.tif 000015
【図１４】
2004016067.tif 000016
【図１５】
2004016067.tif 000017
【図１６】
2004016067.tif 000018
【図１７】
2004016067.tif 000019
【図１８】
2004016067.tif 000020
【図１９】
2004016067.tif 000021
【図２０】
2004016067.tif 000022
【図２１】
2004016067.tif 000023
【図２２】
2004016067.tif 000024
【図２３】
2004016067.tif 000025